(57)【要約】【課題】光ファイバの直角方向への曲げ部分を収容する部材を１部品で構成可能とし、部品点数及び組立工数を削減する。【解決手段】光ファイバを直角方向に曲げて配線するためのＬアングルタイプ光コネクタにおいて、光ファイバの直角方向への曲げ部分を収容するＬアングル部材４０は、前記曲げ部分の内側に沿ってＬアングル部材４０の全長に渡る切欠き４６を有し、切欠き４６を挟むＬアングル部材４０の内側側面に突起４７が突出形成されているものとされる。【選択図】図４
2015127725.tif 000002
【特許請求の範囲】
【請求項１】
光ファイバを直角方向に曲げて配線するためのＬアングルタイプ光コネクタであって、
前記光ファイバの直角方向への曲げ部分を収容するＬアングル部材は、前記曲げ部分の内側に沿って前記Ｌアングル部材の全長に渡る切欠きを有し、
前記切欠きを挟む前記Ｌアングル部材の内側側面に突起が突出形成されていることを特徴とするＬアングルタイプ光コネクタ。
【請求項２】
請求項１記載のＬアングルタイプ光コネクタにおいて、
前記突起は前記切欠きを挟む前記内側側面の両方に設けられていることを特徴とするＬアングルタイプ光コネクタ。
【請求項３】
請求項２記載のＬアングルタイプ光コネクタにおいて、
前記内側側面の両方に設けられている前記突起は互いに対向して設けられていることを特徴とするＬアングルタイプ光コネクタ。
【請求項４】
請求項２記載のＬアングルタイプ光コネクタにおいて、
前記内側側面の両方に設けられている前記突起は前記切欠きの延伸方向に配列されて設けられていることを特徴とするＬアングルタイプ光コネクタ。
【請求項５】
請求項２記載のＬアングルタイプ光コネクタにおいて、
前記内側側面の両方に設けられている前記突起は前記切欠きの深さ方向に配列されて設けられていることを特徴とするＬアングルタイプ光コネクタ。
【請求項６】
請求項１乃至５記載のいずれかのＬアングルタイプ光コネクタにおいて、
前記突起はＬ字をなすように切り欠かれている前記切欠きの前記Ｌ字の一辺にのみ設けられていることを特徴とするＬアングルタイプ光コネクタ。
【請求項７】
請求項１乃至６記載のいずれかのＬアングルタイプ光コネクタにおいて、
前記突起はＬ字をなすように切り欠かれている前記切欠きの前記Ｌ字の角部もしくは角部に寄って設けられていることを特徴とするＬアングルタイプ光コネクタ。
【発明の詳細な説明】
【技術分野】
【０００１】
この発明は光ファイバを直角方向に曲げて配線するためのＬアングルタイプ光コネクタに関する。
【背景技術】
【０００２】
図１０はこの種のＬアングルタイプ光コネクタの従来例として特許文献１に記載されている構成を示したものである。
【０００３】
この例では光コネクタは、光ファイバ心線１１が挿入されて固定されると共に、後端にフランジ１２が圧入保持されるフェルール１３と、フランジ１２の後端に当接し、フェルール１３を前方に付勢するスプリング１４の後端を支持するストップリング１５と、これら各部材を覆うプラグフレーム１６と、ストップリング１５に一端開口側が連結される直角連結筒材１７と、直角連結筒材１７の他端開口側内部に嵌め込まれたカシメベース１８と、カシメベース１８に光ケーブル１０の拡張力線であるケブラ１０ａを固定するカシメ座１９と、光ケーブル１０のケブラ１０ａの外側を覆う合成樹脂外皮であるシース１０ｂをカシメ座１９に固定するカシメリング２１と、カシメリング２１に装着されるブーツ２２と、プラグフレーム１６及びストップリング１５の外側に被せられるツマミ２３とから構成されている。
【０００４】
直角連結筒材１７は２つの半体部材１７ａ，１７ｂによって形成されており、これら両半体部材１７ａ，１７ｂは開口側同士が合致されてパッチン止め手段２５によって係合一体化されている。
【０００５】
パッチン止め手段２５は図１１および図１２に示すように、一方の半体部材１７ａの側面に突設され、中央に嵌合孔２５ａを有する嵌合突起２５ｂを、他方の半体部材１７ｂの側面に突設され、中央に突起状の係止部２５ｃを有する溝部２５ｄに挿入させ、嵌合孔２５ａに係止部２５ｃを嵌合させるものとなっており、これにより両半体部材１７ａ，１７ｂが一体化される。なお、一方の半体部材１７ａには嵌合突起２５ｂと溝部２５ｄとが対向形成され、これらに対応合致させることができるように、他方の半体部材１７ｂに溝部２５ｄと嵌合突起２５ｂとが対向形成されている。
【０００６】
ストップリング１５の後方部分には環状の係合凸部１５ａが形成されており、直角連結筒材１７の短手側における開口端内周部に形成された環状の係合凹部２６が係合凸部１５ａに嵌合されることで、ストップリング１５の後方部分に直角連結筒材１７が連結固定される。
【０００７】
また、直角連結筒材１７の長手側における開口端内部には環状の係合凹部２７が形成されており、筒状のカシメベース１８に突設された係合凸部１８ａを係合凹部２７に嵌合することによって直角連結筒材１７にカシメベース１８が固定される。カシメ座１９及びカシメリング２１はカシメベース１８の後端縮径部にそれぞれ配置されている。
【０００８】
カシメ座１９は大径の前側筒部１９ａと小径の後側筒部１９ｂとが段差部１９ｃを介して連設されてなり、前側筒部１９ａは光ケーブル１０のケブラ１０ａと共にカシメベース１８の後端縮径部外周に嵌着される。後側筒部１９ｂにはシース１０ｂの切断端部を被せた状態にしてからカシメリング２１を外側からかしめることによってシース１０ｂは固定される。カシメリング２１の外周には光ケーブル１０を保持しているブーツ２２が嵌着される。
【０００９】
ツマミ２３はプラグフレーム１６に装着され、直角連結筒材１７の直角に折れ曲がった部分はツマミ２３に挿入配置されている。直角連結筒材１７の筒内部には光ケーブル１０の直角方向への屈曲を許容させる広さの曲げスペース２８が形成されている。
【先行技術文献】
【特許文献】
【００１０】
【特許文献１】特許第４７６２８５８号公報
【発明の概要】
【発明が解決しようとする課題】
【００１１】
ところで、上述した光コネクタでは光ケーブル（光ファイバ）の直角方向への曲げ部分を収容する直角連結筒材１７は２つの半体部材１７ａ，１７ｂによって、つまり２部品によって構成されているため、その分、部品点数が増え、また２つの部品（半体部材１７ａ，１７ｂ）を組み立てるために組み立て工数を必要とするものとなっていた。
【００１２】
この発明の目的は光ファイバの直角方向への曲げ部分を収容する部材を１部品で構成することができるようにし、その点で部品点数及び組立工数を削減することができるようにしたＬアングルタイプ光コネクタを提供することにある。
【課題を解決するための手段】
【００１３】
請求項１の発明によれば、光ファイバを直角方向に曲げて配線するためのＬアングルタイプ光コネクタにおいて、光ファイバの直角方向への曲げ部分を収容するＬアングル部材は、前記曲げ部分の内側に沿ってＬアングル部材の全長に渡る切欠きを有し、切欠きを挟むＬアングル部材の内側側面に突起が突出形成されているものとされる。
【００１４】
請求項２の発明では請求項１の発明において、突起は切欠きを挟む前記内側側面の両方に設けられているものとされる。
【００１５】
請求項３の発明では請求項２の発明において、前記内側側面の両方に設けられている突起は互いに対向して設けられているものとされる。
【００１６】
請求項４の発明では請求項２の発明において、前記内側側面の両方に設けられている突起は切欠きの延伸方向に配列されて設けられているものとされる。
【００１７】
請求項５の発明では請求項２の発明において、前記内側側面の両方に設けられている突起は切欠きの深さ方向に配列されて設けられているものとされる。
【００１８】
請求項６の発明では請求項１乃至５のいずれかの発明において、突起はＬ字をなすように切り欠かれている切欠きのＬ字の一辺にのみ設けられているものとされる。
【００１９】
請求項７の発明では請求項１乃至６のいずれかの発明において、突起はＬ字をなすように切り欠かれている切欠きのＬ字の角部もしくは角部に寄って設けられているものとされる。
【発明の効果】
【００２０】
この発明によれば、光ファイバの直角方向への曲げ部分を収容する部材は１部品で構成されるため、従来の２部品で構成されるものに比し、部品点数を削減することができ、また組立工数も削減することができる。
【図面の簡単な説明】
【００２１】
【図１】Ａはこの発明によるＬアングルタイプ光コネクタの一実施例を示す正面図、Ｂはその側面図、Ｃはその斜視図。
【図２】Ａは図１ＡのＤ−Ｄ線拡大断面図、Ｂは図１ＢのＥ−Ｅ線拡大断面図。
【図３】Ａは図１におけるシェルの正面図、Ｂはその側面図、Ｃはその背面図、Ｄはその断面図、Ｅ，Ｆはその斜視図。
【図４】Ａは図１におけるＬアングル部材の正面図、Ｂはその側面図、Ｃはその底面図、Ｄはその断面図、Ｅ，Ｆはその斜視図。
【図５】図１におけるフェルールの斜視図。
【図６】図２におけるスリーブの斜視図。
【図７】ＡはＬアングル部材の他の形状例（その１）を示す正面図、Ｂはその底面図、Ｃはその断面図、Ｄはその斜視図。
【図８】ＡはＬアングル部材の他の形状例（その２）を示す正面図、Ｂはその底面図、Ｃはその断面図、Ｄはその斜視図。
【図９】ＡはＬアングル部材の他の形状例（その３）を示す正面図、Ｂはその底面図、Ｃはその断面図、Ｄはその斜視図。
【図１０】ＡはＬアングルタイプ光コネクタの従来例を示す正面図、Ｂはその断面図、Ｃはその背面図。
【図１１】Ａは図１０における直角連結筒材の一方の半体部材を示す背面図、Ｂはその側面図、Ｃはその正面図。
【図１２】Ａは図１０における直角連結筒材の他方の半体部材を示す正面図、Ｂはその側面図、Ｃはその背面図。
【発明を実施するための形態】
【００２２】
この発明の実施形態を図面を参照して実施例により説明する。
【００２３】
図１はこの発明によるＬアングルタイプ光コネクタの一実施例の外観を示したものであり、図２はその断面構造を示したものである。この例ではＬアングルタイプ光コネクタはシェル３０とＬアングル部材４０とフェルール５０とコイルばね６０とスリーブ７０とかしめリング８０とねじ９０とブーツ１００とによって構成されている。なお、図１及び２中、２００は光ケーブルを示す。
【００２４】
まず、各部の構成について説明する。
【００２５】
シェル３０は図３に示したように、円筒部３１と、円筒部３１の後端に設けられた方形のフランジ部３２と、フランジ部３２より後方に延長形成された延長部３３とよりなる。フランジ部３２の４つの角部には面取りが施されており、取り付け固定に使用される穴３２ａが４つの角部にそれぞれ形成されている。
【００２６】
延長部３３は略長円柱形状をなし、円筒部３１の内部空間３１ａと連通する矩形穴３４がその軸方向に貫通形成されている。矩形穴３４は後端側に段部３４ａを有する段付き穴とされており、段部３４ａより後方側はやや大きな穴となっている。なお、円筒部３１の内部空間３１ａと矩形穴３４の連通部はやや延長部３３寄りに位置されている。
【００２７】
延長部３３の後端面には矩形穴３４を囲むように矩形枠状をなす枠部３５が突出形成されており、さらに一対の突出片３５ａが枠部３５の互いに対向する一対の短辺から突出形成されている。また、延長部３３の後端面の枠部３５を挟む上端部分及び下端部分には互いの外側面が延長部３３の外面と一致されて突出部３６，３７がそれぞれ形成されており、これら突出部３６，３７と枠部３５との各間に弓形形状をなす凹部３８，３９が形成されている。
【００２８】
Ｌアングル部材４０は図４に示したような形状を有するものとされ、一端面４０ａと他端面４０ｂとは互いに垂直をなす向きに位置されている。一端面４０ａはシェル３０の取り付け面とされ、一端面４０ａの外形はシェル３０の延長部３３の外形と一致されている。
【００２９】
一端面４０ａにはシェル３０の突出部３６と３７との間に嵌め込まれる形状をなす一段高い段部４１が形成され、さらに段部４１上にシェル３０の凹部３８，３９にそれぞれ嵌め込まれる突部４１ａ，４１ｂが突出形成されている。突部４１ａと４１ｂの間において段部４１にはへこみ４２が大きく形成されており、へこみ４２の底面にはスリット状をなす一対の凹部４３が形成され、さらにそれら凹部４３の内側に一対の円形凹部４４が形成されている。
【００３０】
一方、他端面４０ｂ側は外形が円形をなす軸部４５とされ、他端面４０ｂはその軸部４５の先端に位置されている。他端面４０ｂはスリーブ７０、光ケーブル２００等の取り付け面とされる。
【００３１】
Ｌアングル部材４０には一端面４０ａから他端面４０ｂに至る内周側においてその全長に渡って切欠き４６が形成されており、突部４１ｂも切欠き４６によって二分されている。切欠き４６は軸部４５においては反対側の外周面の近くに至る程度の深さとされ、一端面４０ａ側においては一端面４０ａの中央を越える深さとされており、一端面４０ａから軸部４５にかけて切欠き４６の内部底面は円弧形状をなすように湾曲されている。
【００３２】
Ｌアングル部材４０には上記のように切欠き４６が形成されており、切欠き４６を挟む内側側面には突起が突出形成されている。この例では一対の突起４７が突部４１ｂの切欠き４６を挟む内側側面の両方に互いに対向して設けられている。一対の突起４７は突部４１ｂの基端部に設けられており、互いの先端間には所定の間隙が設けられている。
【００３３】
他端面４０ｂ（軸部４５の先端面）には切欠き４６の深さ方向と直交する方向に溝４８が設けられており、切欠き４６によって二分された溝４８の双方にはねじ穴４９がそれぞれ形成されている。また、軸部４５の外周面には凹部４５ａが環状に設けられている。
【００３４】
フェルール５０は図５に示したように直方体形状をなし、その一端側には外形が全周に渡ってやや拡大されてなる鍔部５１が形成されている。フェルール５０の鍔部５１が形成されている側の端面には凹部５２が形成されており、この凹部５２と連通する微細孔５３（図１Ａ参照）がフェルール５０の先端面に配列形成されている。微細孔５３はこの例では図１Ａに示すように８つ、直線上に配列されて形成されている。なお、微細孔５３の配列を挟む両側にはピン穴５４がそれぞれ貫通形成されている。これらピン穴５４はこのフェルール５０の先端面と突き当てられて接続される相手方フェルールに設けられているピンが挿入される。
【００３５】
スリーブ７０は図６に示したように円筒部７１と、円筒部７１の一端にフランジ状に突出されて形成された取り付け部７２とよりなる。取り付け部７２はＬアングル部材４０の他端面４０ｂの溝４８に収容される形状とされ、その長手方向の両端には取り付け穴７３がそれぞれ形成されている。なお、円筒部７１の外周面には図６に示したように環状をなす突部７４が軸方向に配列されて複数形成されている。
【００３６】
以上、主要各部の構成について説明したが、次にこのＬアングルタイプ光コネクタの組み立てについて順に説明する。
【００３７】
（１）まず、光ケーブル２００のシース２０１を所定長さ切断除去して光ファイバ心線２０２を露出させる。この例では光ケーブル２００は８本の光ファイバ心線２０２を有する。
【００３８】
（２）光ケーブル２００をブーツ１００及び円筒状のかしめリング８０に順次通し、さらに光ファイバ心線２０２をスリーブ７０に通す。
【００３９】
（３）光ファイバ心線２０２の先端部分の被覆を除去して光ファイバ素線２０３を露出させる。
【００４０】
（４）８本の光ファイバ素線２０３をフェルール５０の凹部５２側からそれぞれ微細孔５３に挿入して接着固定し、端面研磨を施す。
【００４１】
（５）次に、スリーブ７０の円筒部７１をシース２０１の内周面と８本の光ファイバ心線２０２との間に挿入し、スリーブ７０の取り付け部７２をシース２０１の先端に位置させる。そして、かしめリング８０をシース２０１の端部に位置させてかしめる。これにより、シース２０１の端部はスリーブ７０の円筒部７１とかしめリング８０との間に挟み込まれて固定される。
【００４２】
（６）次に、フェルール５０をシェル３０の延長部３３側から矩形穴３４に嵌め込む。フェルール５０の鍔部５１は矩形穴３４内の段部３４ａに突き当たる。
【００４３】
（７）Ｌアングル部材４０の一対の円形凹部４４にそれぞれコイルばね６０を挿入して位置させた状態でシェル３０をＬアングル部材４０に取り付ける。Ｌアングル部材４０の段部４１はシェル３０の突出部３６，３７間に嵌め込まれ、突部４１ａ，４１ｂはシェル３０の凹部３８，３９にそれぞれ嵌め込まれる。一方、シェル３０の一対の突出片３５ａはＬアングル部材４０の一対の凹部４３に嵌め込まれる。
【００４４】
この際、フェルール５０から導出されている光ファイバ心線２０２はＬアングル部材４０に全長に渡って形成されている切欠き４６に挿入され、一対の突起４７間の間隙を通って切欠き４６の奥に収容される。また、スリーブ７０の取り付け部７２はＬアングル部材４０の他端面４０ｂに設けられている溝４８に位置される。
【００４５】
シェル３０とＬアングル部材４０は接着により互いに固定されて一体化される。フェルール５０の鍔部５１の端面は一対のコイルばね６０によって押された状態となる。
【００４６】
（８）次に、スリーブ７０の取り付け部７２の２つの取り付け穴７３にねじ９０を通し、ねじ９０をＬアングル部材４０の２つのねじ穴４９にねじ込む。これにより、スリーブ７０は２本のねじ９０によってＬアングル部材４０にねじ止め固定される。
【００４７】
（９）ブーツ１００をＬアングル部材４０の軸部４５及びかしめリング８０の回りに位置させ、ブーツ１００の先端内周面に環状に突出形成されている突部１０１を軸部４５の凹部４５ａに嵌め込んでブーツ１００をＬアングル部材４０に固定する。
【００４８】
以上により、光ファイバ（光ファイバ心線２０２）を直角方向に曲げて配線するための、図１及び図２に示したような構造を有するＬアングルタイプ光コネクタが完成する。
【００４９】
上述したＬアングルタイプ光コネクタによれば、光ファイバ心線２０２の直角方向への曲げ部分を収容するＬアングル部材４０は１部品で構成されるため、図１０〜１２に示した従来例のように２部品で構成されるものに比し、部品点数及び組立工数を削減することができる。
【００５０】
Ｌアングル部材４０は光ファイバ心線２０２の曲げ部分の内側に沿って全長に渡る切欠き４６を有するため、光ファイバ心線２０２をＬアングル部材４０内に簡単に入れ込んで収容することができる。また、切欠き４６を挟む内側側面には突起４７が形成されて切欠き４６に突出されているため、Ｌアングル部材４０内に収容された光ファイバ心線２０２がＬアングル部材４０から飛び出すといったことを防止することができる。特に、スリーブ７０をＬアングル部材４０にねじ止め固定する前にはＬアングル部材４０に入れ込んだ光ファイバ心線２０２がＬアングル部材４０から外に飛び出すといったことが生じ易いが、突起４７の存在によりこの飛び出しを防止することができる。
【００５１】
なお、この例では光ケーブル２００は８本の光ファイバ心線２０２を有するものとされているが、例えば３０本や４０本といったように極めて多数の光ファイバ心線２０２が存在する場合には、より飛び出しが生じ易いものとなる。このような場合でも突起４７の存在により、飛び出しを良好に防止することができる。
【００５２】
上述した例では切欠き４６を挟む内側側面に一対の突起４７を互いに対向して設けているが、突起４７の形成はこれに限るものではない。図７〜９は突起４７の他の形成例を示したものである。
【００５３】
図７に示したＬアングル部材１１０では切欠き４６を挟む内側側面の両方に突起４７を設けているものの、突起４７を切欠き４６の延伸方向に互い違いに配列して設けている。図８に示したＬアングル部材１２０では切欠き４６を挟む内側側面の両方に突起４７を設けているものの、突起４７を切欠き４６の深さ方向に互い違いに配列して設けている。また、図９に示したＬアングル部材１３０では突起４７は１つとされ、切欠き４６を挟む内側側面の一方に突起４７を設けている。突起４７はこれら図７〜９に示したように形成してもよい。
【００５４】
なお、突起４７はこれら図７〜９及び図４に示したように、Ｌ字をなすように切り欠かれている切欠き４６のＬ字の角部もしくは角部に寄って設けられている。このような位置に突起４７を設けるようにすれば、より効果的に光ファイバ心線２０２の飛び出しを防止することができる。
【００５５】
また、図４及び図７〜９に示したように突起４７をＬ字をなすように切り欠かれている切欠き４６のＬ字の一辺にのみ設けるようにすれば、樹脂製のＬアングル部材を成形し易く、製造コストを抑えることができる。なお、突起４７は複数個設けてもよい。
【符号の説明】
【００５６】
１０  光ケーブル                      １０ａ  ケブラ                        
１０ｂ  シース                        １１  光ファイバ心線
１２  フランジ                        １３  フェルール
１４  スプリング                      １５  ストップリング
１５ａ  係合凸部                      １６  プラグフレーム
１７  直角連結筒材                    １７ａ，１７ｂ  半体部材
１８  カシメベース                    １８ａ  係合凸部
１９  カシメ座                        １９ａ  前側筒部
１９ｂ  後側筒部                      １９ｃ  段差部
２１  カシメリング                    ２２  ブーツ
２３  ツマミ                          ２５  パッチン止め手段
２５ａ  嵌合孔                        ２５ｂ  嵌合突起
２５ｃ  係止部                        ２５ｄ  溝部
２６，２７  係合凹部                  ２８  曲げスペース
３０  シェル                          ３１  円筒部
３１ａ  内部空間                      ３２  フランジ部
３２ａ  穴                            ３３  延長部
３４  矩形穴                          ３４ａ  段部
３５  枠部                            ３５ａ  突出片
３６，３７  突出部                    ３８，３９  凹部
４０  Ｌアングル部材                  ４０ａ  一端面
４０ｂ  他端面                        ４１  段部
４１ａ，４１ｂ  突部                  ４２  へこみ
４３  凹部                            ４４  円形凹部
４５  軸部                            ４５ａ  凹部
４６  切欠き                          ４７  突起
４８  溝                              ４９  ねじ穴
５０  フェルール                      ５１  鍔部
５２  凹部                            ５３  微細孔
５４  ピン穴                          ６０  コイルばね
７０  スリーブ                        ７１  円筒部
７２  取り付け部                      ７３  取り付け穴
７４  突部                            ８０  かしめリング
９０  ねじ                            １００  ブーツ
１０１  突部                          １１０，１２０，１３０  Ｌアングル部材
２００  光ケーブル                    ２０１  シース
２０２  光ファイバ心線                ２０３  光ファイバ素線
【図１】
2015127725.tif 000003
【図２】
2015127725.tif 000004
【図３】
2015127725.tif 000005
【図４】
2015127725.tif 000006
【図５】
2015127725.tif 000007
【図６】
2015127725.tif 000008
【図７】
2015127725.tif 000009
【図８】
2015127725.tif 000010
【図９】
2015127725.tif 000011
【図１０】
2015127725.tif 000012
【図１１】
2015127725.tif 000013
【図１２】
2015127725.tif 000014